(57)【要約】【課題】  遊技球を利用した遊技を行わせて、パチンコ遊技本来の楽しみを与えることが出来る、新規な構造のパチンコ機を提供することを、目的とする。【解決手段】  役物３６に入球した遊技球が排出口８６から遊技盤１６の裏側に排出された場合、第一の可変入賞装置１１４ａに配された一対の可動翼片１３６，１３６が可動翼片作動制御手段１４２によって開作動せしめられるようになっており、第一の可変入賞装置１１４ａにおける一方の入球口１２６に遊技球が入球すると、一対の可動翼片１３６，１３６が可動翼片作動制御手段１４２によって閉作動せしめられるようになっている一方、第二の可変入賞装置１１４ｃに配された一対の羽根部材１３６，１３６が羽根部材作動制御手段１４２によって開作動せしめられるようになっている。【選択図】      図１２
2006239257.tif 000002
【特許請求の範囲】
【請求項１】
パチンコ機本体に取り付けられて、該パチンコ機本体に取り付けられた状態で遊技者側に位置せしめられる表側の面において遊技球が流下せしめられる遊技領域が形成された遊技盤と、
前記遊技領域に設けられて、該遊技領域を流下せしめられる遊技球が入球可能な役物と、
該役物に入球した遊技球を少なくとも二つ形成された排出口の何れかに振り分けて該排出口から前記遊技盤の裏側に排出する振分手段と、
前記遊技領域に設けられて、該遊技領域を流下せしめられる遊技球が入球可能な入球口が二つ形成されていると共に、これら二つの入球口のうち一方の入球口の大きさを実質的に変化せしめる一対の可動翼片が配されている第一の可変入賞装置と、
前記排出口から前記遊技盤の裏側に排出される遊技球と、前記第一の可変入賞装置における前記二つの入球口のうち他方の入球口から入球して該遊技盤の裏側に排出される遊技球との何れかを利用することにより、前記一対の可動翼片を開作動せしめる一方、該第一の可変入賞装置における該二つの入球口のうちの前記一方の入球口から入球して該遊技盤の裏側に排出される遊技球を利用することにより、該一対の可動翼片を閉作動せしめる可動翼片作動制御手段と、
前記遊技領域に設けられて、該遊技領域を流下せしめられる遊技球が入球可能な球入口が二つ形成されていると共に、これら二つの球入口のうち一方の球入口の大きさを実質的に変化せしめる一対の羽根部材が配されている第二の可変入賞装置と、
前記第一の可変入賞装置における前記二つの入球口のうち前記一方の入球口から入球して前記遊技盤の裏側に排出される遊技球と、前記第二の可変入賞装置における前記二つの球入口のうち他方の球入口から入球して該遊技盤の裏側に排出される遊技球との何れかを利用することにより、前記一対の羽根部材を開作動せしめる一方、該第二の可変入賞装置における該二つの球入口のうち前記一方の球入口から入球して該遊技盤の裏側に排出される遊技球を利用することにより、該一対の羽根部材を閉作動せしめる羽根部材作動制御手段と、
前記排出口から前記遊技盤の裏側に排出される遊技球を前記羽根部材作動制御手段が配された位置とは異なる位置に誘導して、該排出口から該遊技盤の裏側に排出される遊技球によって該羽根部材作動制御手段による前記一対の羽根部材の開閉作動が行われないようにする回避通路と
を、備えていることを特徴とするパチンコ機。
【発明の詳細な説明】
【技術分野】
【０００１】
本発明は、遊技領域に設けられた役物に入球した遊技球を利用して、同じく遊技領域に設けられた可変入賞装置に配されている一対の可動翼片を作動制御するパチンコ機に関するものである。
【背景技術】
【０００２】
近年のパチンコ機は液晶表示装置を用いたものが主流となっており、殆どのパチンコ機において、かかる液晶表示装置に表示されるキャラクタ等を利用した演出で遊技者を楽しませるようになっている。
【０００３】
ところで、パチンコ遊技をいうのは、遊技者によって発射された遊技球を利用して行われるものであり、上述の如き液晶表示装置を用いたパチンコ機であっても、この点に変わりはない。
【０００４】
そうすると、パチンコ遊技本来の楽しみというのは、上述の如き液晶表示装置を利用したものではなく、遊技者によって発射された遊技球を利用したものであると考えられる。
【０００５】
ところが、近年のパチンコ機は、このような観点から開発されていないのが、現状である。
【０００６】
なお、特許文献１（実開昭５１−１５７２７８号公報）には、遊技領域に設けられたセンター入賞器に入賞した遊技球が、遊技盤の裏側に設けられた誘導溝を通ってセーフ球寄せカバー内を流下せしめられる際に、遊技領域に設けられた左右の開閉入賞器のそれぞれに配されている一対の可動片の何れか一方を拡開状態にすると共に、遊技領域においてこれら左右の開閉入賞器よりも遊技球の流下方向で下流側に設けられた下開閉入賞器に配されている一対の可動片を拡開状態にするパチンコ機が開示されている。
【０００７】
しかしながら、特許文献１に記載のパチンコ機においては、ただ単に二つの開閉入賞器への遊技球の入球の可能性を高めて遊技者を楽しませるだけであり、遊技球を利用した遊技を行わせるという点や、パチンコ遊技本来の楽しみを与えるという点において、未だ十分でない。
【０００８】
【特許文献１】実開昭５１−１５７２７８号公報
【発明の開示】
【発明が解決しようとする課題】
【０００９】
ここにおいて、本発明は、上述の如き事情を背景として為されたものであり、その解決課題とするところは、遊技球を利用した遊技を行わせて、パチンコ遊技本来の楽しみを与えることが出来る、新規な構造のパチンコ機を提供することにある。
【課題を解決するための手段】
【００１０】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体に記載されたもの、或いはそれらの記載から当業者が把握することが出来る発明思想に基づいて認識されるものであることが理解されるべきである。
【００１１】
パチンコ機に関する本発明の第一の態様は、（ａ）パチンコ機本体に取り付けられて、該パチンコ機本体に取り付けられた状態で遊技者側に位置せしめられる表側の面において遊技球が流下せしめられる遊技領域が形成された遊技盤と、（ｂ）前記遊技領域に設けられて、該遊技領域を流下せしめられる遊技球が入球可能な役物と、（ｃ）該役物に入球した遊技球を少なくとも二つ形成された排出口の何れかに振り分けて該排出口から前記遊技盤の裏側に排出する振分手段と、（ｄ）前記遊技領域に設けられて、該遊技領域を流下せしめられる遊技球が入球可能な入球口が二つ形成されていると共に、これら二つの入球口のうち一方の入球口の大きさを実質的に変化せしめる一対の可動翼片が配されている第一の可変入賞装置と、（ｅ）前記排出口から前記遊技盤の裏側に排出される遊技球と、前記第一の可変入賞装置における前記二つの入球口のうち他方の入球口から入球して該遊技盤の裏側に排出される遊技球との何れかを利用することにより、前記一対の可動翼片を開作動せしめる一方、該第一の可変入賞装置における該二つの入球口のうちの前記一方の入球口から入球して該遊技盤の裏側に排出される遊技球を利用することにより、該一対の可動翼片を閉作動せしめる可動翼片作動制御手段と、（ｆ）前記遊技領域に設けられて、該遊技領域を流下せしめられる遊技球が入球可能な球入口が二つ形成されていると共に、これら二つの球入口のうち一方の球入口の大きさを実質的に変化せしめる一対の羽根部材が配されている第二の可変入賞装置と、（ｇ）前記第一の可変入賞装置における前記二つの入球口のうち前記一方の入球口から入球して前記遊技盤の裏側に排出される遊技球と、前記第二の可変入賞装置における前記二つの球入口のうち他方の球入口から入球して該遊技盤の裏側に排出される遊技球との何れかを利用することにより、前記一対の羽根部材を開作動せしめる一方、該第二の可変入賞装置における該二つの球入口のうち前記一方の球入口から入球して該遊技盤の裏側に排出される遊技球を利用することにより、該一対の羽根部材を閉作動せしめる羽根部材作動制御手段と、（ｈ）前記排出口から前記遊技盤の裏側に排出される遊技球を前記羽根部材作動制御手段が配された位置とは異なる位置に誘導して、該排出口から該遊技盤の裏側に排出される遊技球によって該羽根部材作動制御手段による前記一対の羽根部材の開閉作動が行われないようにする回避通路とを、備えていることを、特徴とする。
【００１２】
このような本態様に従う構造とされたパチンコ機においては、遊技領域に設けられた役物に入球した遊技球が振分手段によって振り分けられて排出口から遊技盤の裏側に排出された場合、第一の可変入賞装置に配された一対の可動翼片が可動翼片作動制御手段によって開作動せしめられるようになっている。これにより、第一の可変入賞装置における一方の入球口への遊技球の入球の可能性が高められることとなる。そして、このようにして、遊技球の入球の可能性が高められた、第一の可変入賞装置における一方の入球口に遊技球が入球すると、一対の可動翼片が可動翼片作動制御手段によって閉作動せしめられるようになっている。
【００１３】
また、第一の可変入賞装置における一方の入球口に遊技球が入球した場合、第二の可変入賞装置に配された一対の羽根部材が羽根部材作動制御手段によって開作動せしめられるようになっている。これにより、第二の可変入賞装置における一方の球入口への遊技球の入球の可能性が高められることとなる。そして、このように遊技球の入球の可能性が高められた、第二の可変入賞装置における一方の球入口に遊技球が入球すると、一対の羽根部材が羽根部材作動制御手段によって閉作動せしめられるようになっている。
【００１４】
そこにおいて、排出口から遊技盤の裏側に排出される遊技球は、回避通路によって、羽根部材作動制御手段が配された位置とは異なる位置に誘導されるようになっていることから、排出口から遊技盤の裏側に排出される遊技球は、第一の可変入賞装置に配された一対の可動翼片のみを開作動するようになっており、第二の可変入賞装置に配された一対の羽根部材を開作動しないようになっている。
【００１５】
従って、本態様に係るパチンコ機においては、第一の可変入賞装置に配された一対の可動翼片を閉作動せしめる代わりに、第二の可変入賞装置に配された一対の羽根部材を開作動せしめる作動制御態様が有利に実現され得ることとなる。
【００１６】
これにより、遊技領域上において遊技者が狙いやすい可変入賞装置の位置を遊技球の入球に基づいて変更することが可能となって、その結果、遊技者の意思に基づく遊技球の発射強度の調整等が行われ得ることとなる。
【００１７】
それ故、本態様に係るパチンコ機においては、遊技球を利用した遊技を行わせて、パチンコ遊技本来の楽しみを与えることが可能となる。
【００１８】
また、本態様においては、第一の可変入賞装置における他方の入球口に遊技球が入球した場合、第一の可変入賞装置に配された一対の可動翼片が可動翼片作動制御手段によって開作動せしめられるようになっていることから、役物に遊技球が入球しなかった場合であっても、遊技領域を流下せしめられる遊技球が第一の可変入賞装置における他方の入球口に入球することにより、遊技球が役物に入球した場合と同様な状況、即ち、第一の可変入賞装置に配された一対の可動翼片が開作動せしめられて、第一の可変入賞装置における一方の入球口への遊技球の入球の可能性が高められた状況が発現することとなる。
【００１９】
従って、本態様に係るパチンコ機においては、第一の可変入賞装置における一方の入球口への遊技球の入球の可能性を高めることが有利に実現され得ることとなり、その結果、遊技球を利用した遊技の提供を一層有利に実現することが可能となる。
【００２０】
更にまた、本態様に係るパチンコ機においては、遊技領域を流下せしめられる遊技球が第二の可変入賞装置における他方の球入口に入球した場合、遊技球の入球の可能性が高められた第一の可変入賞装置における一方の球入口に遊技球が入球した場合と同様な状況、即ち、第二の可変入賞装置に配された一対の羽根部材が開作動せしめられて、第二の可変入賞装置における一方の球入口への遊技球の入球の可能性が高められた状況が発現することとなる。
【００２１】
しかも、第一の可変入賞装置に配された一対の可動翼片が閉作動せしめられる代わりに、第二の可変入賞装置に配された一対の羽根部材が開作動されるわけではないことから、第一の可変入賞装置に配された一対の可動翼片と、第二の可変入賞装置に配された一対の羽根部材とが、何れも、開作動された状況が発現され得ることとなる。
【００２２】
従って、本態様に係るパチンコ機においては、第一および第二の可変入賞装置への遊技球の入球の可能性が高められ得ることとなり、それによって、遊技者が狙う可変入賞装置の選択自由度を大きく確保して、遊技球を利用した遊技の幅を広げることが可能となる。
【発明の効果】
【００２３】
上述の説明から明らかなように、本発明に従う構造とされたパチンコ機においては、第一の可変入賞装置に配された一対の可動翼片を閉作動せしめる代わりに、第二の可変入賞装置に配された一対の羽根部材を開作動せしめる制御態様が有利に実現され得ることとなり、それによって、遊技球を利用した遊技を提供することが可能となり、その結果、遊技者にパチンコ遊技本来の楽しみを与えることが可能となる。
【発明を実施するための最良の形態】
【００２４】
以下、本発明を更に具体的に明らかにするために、本発明の実施形態について、図面を参照しつつ、詳細に説明する。
【００２５】
図１には、本発明の一実施形態としてのパチンコ機１０が示されている。このパチンコ機１０は、方形状に枠組みされた外枠１２を備えており、かかる外枠１２には、その一側において開閉自在に軸支された状態で、パチンコ機本体としての中枠１４が組み付けられている。
【００２６】
また、中枠１４の表側には、中枠１４に対して取り付けられた遊技盤１６（図２参照）を透視保護するためのガラス板を備えたガラス枠１８と、上皿２０を備えた皿板２２が、それぞれ、中枠１４の一側に開閉自在に軸支された状態で組み付けられている。
【００２７】
更にまた、上皿２０の下方には、下皿２４が設けられており、かかる下皿２４の右方には、操作ハンドル２６が突設されている。
【００２８】
そして、遊技者が操作ハンドル２６に対して回動可能に装着された操作レバー２８を回動操作することにより、上皿２０に貯留された遊技球が球送り機構（図示せず）を介して、図示しない発射装置に送られた後、遊技盤１６に形成された遊技領域３０（図２参照）に向けて発射されるようになっている。
【００２９】
続いて、遊技盤１６の構造について、図２に基づいて説明する。遊技盤１６は、表面に合成樹脂製のシートが被着された遊技板３２を備えている。また、遊技板３２の表面側には、レールセット３４が固定されている。これにより、遊技盤１６には、レールセット３４によって囲まれた略円形の遊技領域３０が形成されている。
【００３０】
この遊技領域３０には、その中央において、役物３６が設けられている。この役物３６は、図３乃至５にも示されているように、前方（遊技者側）に開口する上側凹室３８と下側凹室４０を備えた箱状の役物本体４２を含んで構成されている。
【００３１】
また、役物本体４２の開口端には、取付板４４が設けられている。そして、かかる取付板４４によって、役物３６が遊技盤１６（遊技板３２）に取り付けられるようになっている。
【００３２】
更にまた、役物３６には、取付板４４から突出するようにして、装飾体４６が設けられている。この装飾体４６には、上方に向かって開口する入賞口４８が形成されている。これにより、遊技領域３０を流下せしめられる遊技球が入賞口４８から役物３６に入球可能とされている。
【００３３】
そして、この入賞口４８に入球した遊技球は、第一の案内通路５０を通って、上側凹室３８に案内されるようになっている。なお、入賞口４８内には、近接スイッチによって構成された検出スイッチ５２が配されており、遊技球の入賞口４８への入球が検出スイッチ５２によって検出されるようになっている。
【００３４】
また、第一の案内通路５０を通って上側凹室３８に案内されてきた遊技球は、上側凹室３８の床板５４上を転動せしめられた後、かかる床板５４に開口する連通穴５６から第二の案内通路５８を通って、下側凹室４０に案内されるようになっている。
【００３５】
因みに、本実施形態では、第二の案内通路５８が下側凹室４０の奥行方向に延びるように形成されている。これにより、第二の案内通路５８を通ってきた遊技球は、下側凹室４０の奥側（図４中の右側）に案内されるようになっている。
【００３６】
この下側凹室４０は、その床面が奥側から手前側（図４中の右側から左側）に向かって下る傾斜面とされている。そして、下側凹室４０の床には、傾斜面に直交する方向に略一定の円形断面で開口する中央凹所６０が形成されている。
【００３７】
この中央凹所６０には、図６にも示されているように、厚肉の円板形状を呈する回転体６２が収容位置せしめられている。この回転体６２には、複数（本実施形態では、六つ）の収容凹部６４，６４，６６，６６，６８，６８が形成されており、これら六つの収容凹部６４，６４，６６，６６，６８，６８のそれぞれに遊技球が収容可能とされている。
【００３８】
そこにおいて、本実施形態では、これら六つの収容凹部６４，６４，６６，６６，６８，６８が周方向で等間隔に形成されている。これにより、本実施形態では、径方向で対向する位置にそれぞれ形成された一対の収容凹部６４，６４，６６，６６，６８，６８が三組設けられていることとなる。
【００３９】
また、本実施形態では、各組毎に収容凹部６４，６４，６６，６６，６８，６８の形状が異ならされている。具体的には、一組目の各収容凹部６４は、回転体６２の外周縁部を略一定の断面（本実施形態では、Ｕ字状断面）で厚さ方向に貫通するように形成されている。即ち、一組目の各収容凹部６４は、回転体６２の外周縁部を略一定のＵ字状断面で切り欠く切欠形状とされているのである。
【００４０】
さらに、一組目の各収容凹部６４に対して周方向で隣りに位置せしめられた二組目の各収容凹部６６と、二組目の各収容凹部６６に対して周方向で隣りに位置せしめられた三組目の各収容凹部６８は、何れも、回転体６２の外周縁部を略一定の断面（本実施形態では、Ｕ字状断面）で厚さ方向の上方から下方に向かって所定の長さに亘って延びるように形成されている。これにより、二組目の各収容凹部６６と三組目の各収容凹部６８は、何れも、回転体６２の上面と外周面に開口するようになっている。
【００４１】
そこにおいて、本実施形態では、二組目の各収容凹部６６の奥行寸法（回転体６２の径方向の寸法）が一組目の各収容凹部６４の奥行寸法（回転体６２の径方向の寸法）よりも大きくされている。また、本実施形態では、三組目の各収容凹部６８の奥行寸法（回転体６２の径方向の寸法）が二組目の各収容凹部６６の奥行寸法（回転体６２の径方向の寸法）よりも大きくされている。
【００４２】
更にまた、本実施形態では、二組目の各収容凹部６６の底壁と、三組目の各収容凹部６８の底壁には、何れも、奥側の端部において貫通孔７０，７２が形成されている。
【００４３】
このような構造とされた回転体６２は、その中心軸上に設けられたボス部７４が中央凹所６０の底壁の裏側に配された駆動歯車７６に対して一体的に組み付けられた状態で、中央凹所６０に収容配置されている。
【００４４】
このようにして回転体６２のボス部７４と連結された駆動歯車７６には、連結歯車７８が噛合わされている。更にまた、連結歯車７８には、出力歯車８０が噛合わされている。そして、出力歯車８０は、ステッピングモータによって構成された電気モータ８２の出力軸８４に対して一体的に組み付けられている。
【００４５】
これにより、電気モータ８２の回転駆動力が、出力歯車８０，連結歯車７８および駆動歯車７６を介して、回転体６２に伝達されるようになっている。その結果、回転体６２が周方向一方向（図６中の右回りの方向）に回転せしめられるようになっている。
【００４６】
なお、本実施形態において、かかる回転体６２の回転は、パチンコ機１０に電源が投入されてから継続して行われるようになっており、その回転速度および回転方向は、常に一定とされている。
【００４７】
また、中央凹所６０の底壁には、図７に示されているように、複数（本実施形態では、三つ）の排出口８６，８８，９０が形成されている。そして、上述の如く、回転体６２が回転せしめられた場合、これら三つの排出口８６，８８，９０のうち中央凹所６０の底壁において最も径方向外側に位置せしめられた排出口８６の上方を、一組目の各収容凹部６４が通過するようになっている。従って、遊技球が収容された状態で、一組目の各収容凹部６４が排出口８６の上方を通過した場合、一組目の各収容凹部６４に収容された遊技球は、排出口８６から遊技盤１６の裏側に排出されるようになっている。
【００４８】
さらに、上述の如く、回転体６２が回転せしめられた場合、排出口８６よりも中央凹所６０の底壁において径方向内側に位置せしめられた排出口８８の上方を、二組目の各収容凹部６６の底壁に形成された貫通孔７０が通過するようになっている。そして、遊技球が収容された状態で、二組目の各収容凹部６６が排出口８６の上方を通過した場合、二組目の各収容凹部６６に収容された遊技球は、排出口８６から遊技盤１６の裏側に排出されるようになっている。
【００４９】
更にまた、上述の如く、回転体６２が回転せしめられた場合、排出口８８よりも中央凹所６０の底壁において径方向内側に位置せしめられた排出口９０の上方を、三組目の各収容凹部６８の底壁に形成された貫通孔７２が通過するようになっている。そして、遊技球が収容された状態で、三組目の各収容凹部６８が排出口９０の上方を通過した場合、三組目の各収容凹部６８に収容された遊技球は、排出口９０から遊技盤１６の裏側に排出されるようになっている。
【００５０】
また、上述の如く、回転体６２が中心軸回りに回転可能な状態で収容配置された中央凹所６０の外側には、中央凹所６０の側壁に沿って延びる環状通路９２が設けられている。そして、本実施形態では、第二の案内通路５８によって案内されてきた遊技球が、環状通路９２において中央凹所６０よりも奥側の部分に落下せしめられるようになっている。
【００５１】
そこにおいて、本実施形態では、上述の如く、下側凹室４０の床面が、奥側から手前側（図４中の右側から左側）に向けて下る傾斜面とされていることにより、環状通路９２の底面も下側凹室４０の奥側から手前側に向けて下る傾斜面とされている。
【００５２】
従って、本実施形態では、第二の案内通路５８を通ってきた後、環状通路９２において中央凹所６０よりも奥側の部分に落下せしめられた遊技球は、周方向一方向（図６中の右回りの方向）において環状通路９２を奥側から手前側に向けて転動せしめられるか、或いは、周方向他方向（図６中の左回りの方向）において環状通路９２を奥側から手前側に向けて転動せしめられるようになっている。
【００５３】
すなわち、本実施形態では、遊技球を奥側から手前側に誘導する通路として、環状通路９２の左半周部分によって構成されて、中央凹所６０の外側を右回りで奥側から手前側に向けて略半周に亘って延びる第一の誘導通路９４と、環状通路９２の右半周部分によって構成されて、中央凹所６０の外側を左回りで奥側から手前側に向けて略半周に亘って延びる第二の誘導通路９６とが設けられていることとなる。
【００５４】
なお、中央凹所６０の側壁、即ち、環状通路９２の内周壁には、第一の誘導通路９４と第二の誘導通路９６の上流端となる位置において、中央凹所６０の径方向外方に向けて突出する爪状突起９８が設けられている。これにより、環状通路９２の奥側部分、即ち、第一および第二の誘導通路９４，９６の上流端に落下せしめられた遊技球が、かかる爪状突起９８に当たることによって、第一および第二の誘導通路９４，９６の何れかに振り分けられるようになっている。
【００５５】
また、環状通路９２の底面には、第一の誘導通路９４と第二の誘導通路９６の下流端となる位置において、中央凹所６０の側に向けて下る誘導面１００が形成されている。これにより、第一および第二の誘導通路９４，９６の何れかを通って奥側から手前側（上流側から下流側）に誘導されてきた遊技球は、誘導面１００によって、中央凹所６０に向けて案内されるようになっている。
【００５６】
更にまた、中央凹所６０の側壁には、誘導面１００が形成された位置に対応するようにして、切欠１０２が形成されている。これにより、上述の如く、誘導面１００により中央凹所６０に向けて案内されてきた遊技球は、切欠１０２を通って、中央凹所６０内で回転せしめられている回転体６２に形成された六つの収容凹部６４，６４，６６，６６，６８，６８の何れかに収容されるようになっている。そして、回転体６２に形成された六つの収容凹部６４，６４，６６，６６，６８，６８の何れかに収容された遊技球は、三つの排出口８６，８８，９０の何れかから遊技盤１６の裏側に排出されるようになっている。
【００５７】
このことから明らかなように、本実施形態では、電気モータ８２によって回転せしめられる回転体６２を含んで振分手段が構成されている。
【００５８】
また、第一および第二の誘導通路９４，９６の下流側には、各誘導通路９４，９６を転動せしめられる遊技球が接触可能な位置において、複数（本実施形態では、四つ）の突起１０４が設けられている。そこにおいて、本実施形態では、各誘導通路９４，９６の側壁面１０６，１０８，１１０，１１２から各誘導通路９４，９６の通路方向で交互に突出するようにして、各突起１０４が設けられている。
【００５９】
具体的には、本実施形態の突起１０４は、略一定の半円形断面で各誘導通路９４，９６の深さ方向にストレートに延びる形状とされている。そして、本実施形態では、このような形状とされた突起１０４が各誘導通路９４，９６の内周側の側壁面１０６，１１０と外周側の側壁面１０８，１１２に対して、周方向（通路方向）で適当な間隔をあけて二つずつ設けられている。
【００６０】
そこにおいて、本実施形態では、各誘導通路９４，９６において最も上流側に設けられた突起１０４，１０４は、各誘導通路９４，９６の外周側の側壁面１０８，１１２であって、且つ、各誘導通路９４，９６の中間地点よりも下流側に位置せしめられている。
【００６１】
なお、図６および図７では、各誘導通路９４，９６の外周側の側壁面１０８，１１２は、通路方向中間部分において分断されているように見えるが、かかる分断されて見える部分には、図面上では明示されていないが、その外側において、役物本体４２の壁面が位置せしめられている。これにより、各誘導通路９４，９６の上流側から下流側へと遊技球を誘導することが有利に実現されることとなる。
【００６２】
また、遊技領域３０には、遊技球の流下方向で役物３６よりも下流側の領域において、複数（本実施形態では、六つ）の可変入賞装置１１４ａ〜ｄ，１１６ａ，ｂが設けられており、本実施形態では、これら六つの可変入賞装置１１４ａ〜ｄ，１１６ａ，ｂは、上段と下段に三つずつ分けられている。
【００６３】
そこにおいて、本実施形態では、上段の左右両側に設けられた可変入賞装置１１４ａ，１１ｂは、下段の左右両側に設けられた可変入賞装置１１４ｃ，１１４ｄよりも外側に位置せしめられている。
【００６４】
そして、本実施形態では、上段左右両側の可変入賞装置１１４ａ，１１４ｂおよび下段左右両側の可変入賞装置１１４ｃ，１１４ｄとして、図８乃至１１に示されているものが採用されている。
【００６５】
より詳細には、上段および下段の左右両側に設けられた可変入賞装置１１４ａ〜ｄは、可変入賞装置１１４を遊技領域３０に取り付けるための取付板１１８の裏側において本体枠１２０が取り付けられている一方、かかる取付板１１８の表側において前飾り１２２が取り付けられた構造とされている。
【００６６】
この取付板１１８には、複数（本実施形態では、二つ）の開口穴１２４，１２６が板厚方向に貫通するように形成されており、本実施形態では、これら二つの開口穴１２４，１２６は上下方向（遊技盤１６への取付状態下での遊技領域３０の上下方向）に適当な間隔をあけて位置せしめられている。
【００６７】
また、前飾り１２２には、その上端部分において上側（遊技盤１６への取付状態下での遊技領域３０の上流側）に開口すると共に、上側の開口穴１２４に接続された上側通路１２８が形成されている。更にまた、前飾り１２２には、上下方向中間部分において左右両側（遊技盤１６への取付状態下での遊技領域３０の左右両側）にそれぞれ開口すると共に、下側の開口穴１２６に接続された下側通路１３０が形成されている。そして、下側通路１３０の入口となる左右両側の各開口１３２，１３２には、起立及び傾動自在に軸支された状態で、羽根１３６，１３６が配されている。
【００６８】
さらに、本体枠１２０には、上下方向（遊技盤１６への取付状態下での遊技領域３０の上下方向）に適当な間隔をあけて二つの切欠１３８，１４０が形成されている。そして、本体枠１２０内には、揺動部材１４２が配されている。
【００６９】
この揺動部材１４２は、長手板形状を呈する天板１４４を備えており、かかる天板１４４の下面側において、長手方向一方の側から他方の側に向かって所定長さで延びる通路孔１４６が形成された構造とされている。
【００７０】
このような構造とされた揺動部材１４２は、その長手方向中央部分において、板幅方向に延びる軸１４８回りに揺動可能に支持された状態で、本体枠１２０内に収容配置されている。そこにおいて、本実施形態では、このようにして、本体枠１２０内に揺動部材１４２が配された状態下において、揺動部材１４２に形成された通路孔１４６は下側開口穴１２６を通じて下側通路１３０に接続されている。
【００７１】
また、図面上では明示されていないが、上述の如く、本体枠１２０内に揺動部材１４２が配された状態下において、揺動部材１４２と一対の羽根１３６，１３６は連結されている。これにより、揺動部材１４２の動きと一対の羽根１３６，１３６の動きが連動するようになっている。
【００７２】
具体的には、図９に示されているように、揺動部材１４２に形成された通路孔１４６の底壁が下側の開口穴１２６の内周面に当接せしめられた状態（以下、初期状態と称する）では、図８に示されているように、一対の羽根１３６，１３６は起立せしめられている。これにより、左右両側の各開口１３２が羽根１３６によって実質的に閉鎖された状態となって、遊技領域３０を流下せしめられる遊技球の左右両側の各開口１３２への入球が各羽根１３６によって阻止されるようになっている。なお、本実施形態では、揺動部材１４２が初期状態にある場合において、天板１４４の上面は手前側から奥側に向かって下っている。
【００７３】
また、図１１に示されているように、揺動部材１４２が揺動せしめられた状態（以下、揺動状態と称する）では、図１０に示されているように、一対の羽根１３６，１３６は傾動せしめられている。これにより、左右両側の各開口１３２が開放された状態となって、遊技領域３０を流下せしめられる遊技球の各開口１３２への入球が可能とされている。
【００７４】
このような構造とされた可変入賞装置１１４は、取付板１１８によって遊技盤１６（遊技板３２）に固定されるようになっている。また、図面では明示されていないが、このようにして、可変入賞装置１１４が遊技板３２に取り付けられた状態では、本体枠１２０に形成された上側の切欠１３８および下側の切欠１４０は、遊技盤１６（遊技板３２）の裏側に位置せしめられるようになっている。
【００７５】
そして、上述の如き構造とされた可変入賞装置１１４においては、上側通路１２８の入口となる上側開口１５０から入球した遊技球が、上側通路１２８を通って上側の開口穴１２４から本体枠１２０内に誘導されてくるようになっている。このようにして本体枠１２０内に誘導されてきた遊技球は、揺動部材１４２の天板１４４に向けて落下せしめられるようになっている。
【００７６】
そこにおいて、揺動部材１４２が初期状態にある場合、天板１４４の上面が手前側から奥側に向かって下っていることから、天板１４４に落下せしめられた遊技球は、天板１４４上を奥側に向かって転動せしめられる。そして、遊技球が揺動部材１４２を揺動可能に支持する軸１４８よりも奥側にくると、遊技球の重さによって揺動部材１４２が揺動せしめられる。なお、遊技球の転動と揺動部材１４２の揺動は同時に行われるようになっている。これにより、遊技球が転動するに従って、揺動部材１４２の天板１４４の傾斜が急勾配となるようになっている。
【００７７】
このように揺動部材１４２が揺動せしめられると、遊技球は、天板１４４の奥側部分に設けられたストッパ片１５２と本体枠１２０に当接せしめられて、天板１４４の長手方向での転動が制限された後、天板１４４の上面の奥側部分に形成された傾斜面１５４によって、下側の切欠１４０から遊技盤１６の裏側に排出されるようになっている。
【００７８】
また、揺動部材１４２が揺動状態にある場合、遊技球は、初期状態よりも急勾配とされた天板１４４の上面を転動せしめられて、ストッパ片１５２と本体枠１２０に当接せしめられた後、傾斜面１５４によって、下側の切欠１４０から遊技盤１６の裏側に排出されるようになっている。
【００７９】
更にまた、上述の如き構造とされた可変入賞装置１１４においては、遊技盤１６の裏側を流下せしめられてきた遊技球が、上側の切欠１３８から天板１４４の奥側部分に落下せしめられるようになっている。
【００８０】
そこにおいて、揺動部材１４２が初期状態にある場合、遊技球の落下時の衝撃によって、揺動部材１４２が揺動せしめられるようになっている。そして、揺動部材１４２が揺動状態になると、天板１４４の奥側部分に位置せしめられた遊技球は、傾斜面１５４によって下側の切欠１４０から遊技盤１６の裏側に排出されるようになっている。
【００８１】
また、揺動部材１４２が揺動状態にある場合、遊技球は、傾斜面１５４によって下側の切欠１４０から遊技盤１６の裏側に排出されるようになっている。
【００８２】
更にまた、上述の如き構造とされた可変入賞装置１１４においては、左右何れかの開口１３２，１３２から入球した遊技球が、下側通路１３０から通路孔１４６を通って、遊技盤１６の裏側に排出されるようになっている。その際、遊技球の重さによって、揺動部材１４２が揺動せしめられて、初期状態となる。これにより、一対の羽根１３６，１３６が傾動せしめられた状態から起立せしめられた状態に変化せしめられるようになっている。
【００８３】
また、上段真中の可変入賞装置１１６ａや下段真中の可変入賞装置１１６ｂとして、本実施形態では、実開昭６３−２００４７６号公報等に記載されている、従来から公知の可変入賞装置が採用されており、一対の羽根１６８，１６８が起立せしめられた状態で遊技球が入球した場合には一対の羽根１６８，１６８が傾動せしめられる一方、一対の羽根１６８，１６８が傾動せしめられた状態で遊技球が入球した場合には一対の羽根１６８，１６８が起立せしめられるようになっている。また、遊技盤１６の裏側に排出された遊技球によって、一対の羽根１６８，１６８が起立せしめられた状態から傾動せしめられた状態に変化せしめられるようにもなっている。なお、可変入賞装置１１６ａ，１１６ｂに入球した遊技球は、遊技盤１６の裏側に排出されるようになっている。
【００８４】
上述の如き構造とされた役物３６や各可変入賞装置１１４ａ〜ｄ，１１６ａ，ｂが取り付けられた遊技盤１６の裏側には、図１２に示されているように、各種の誘導通路１８６〜２０２が設けられており、各排出口８６，８８，９０から排出された遊技球や上段に設けられた各可変入賞装置１１４ａ，１１６ａ，１１４ｂから排出された遊技球が所定の位置まで誘導されるようになっている。
【００８５】
より詳細には、役物３６と上段左側に設けられた可変入賞装置１１４ａの間において、排出口８６から排出された遊技球を上段左側に設けられた可変入賞装置１１４ａまで誘導する第一の誘導通路１８６が設けられている。これにより、役物３６に入球して排出口８６から排出された遊技球は、上段左側に設けられた可変入賞装置１１４ａにおける本体枠１２０に形成された上側の切欠１３８から天板１４４上に落下せしめられるようになっている。
【００８６】
そこにおいて、揺動部材１４２が初期状態である場合には、遊技球が天板１４４上に落下することにより、揺動部材１４２が揺動せしめられて、一対の羽根１３６，１３６が傾動せしめられるようになっている。このことから明らかなように、本実施形態では、役物３６に入球して排出口８６から排出された遊技球によって、上段左側の可変入賞装置１１４ａに配された一対の羽根１３６，１３６が傾動（開作動）せしめられるようになっている。
【００８７】
なお、本実施形態では、可変入賞装置１１４ａにおいて天板１４４に形成された傾斜面１５４は、可変入賞装置１１４ａを裏側からみた場合に左側から右側へ下るように形成されている。それ故、本実施形態では、天板１４４上に落下せしめられた遊技球は、役物３６が設けられている側、即ち、下段左側の可変入賞装置１１４ｃが設けられている側とは反対の側において下側の切欠１４０から排出されるようになっている。これにより、天板１４４上に落下せしめられた遊技球は、後述する第二の誘導通路１８８によって下段左側に設けられた可変入賞装置１１４ｃに誘導されないようになっている。このことから明らかなように、本実施形態では、下段左側の可変入賞装置１１４ｃに配されている天板１４４に形成された傾斜面１５４を含んで回避通路が構成されている。
【００８８】
また、上段左側に設けられた可変入賞装置１１４ａにおける上側開口１５０から入球した遊技球は、天板１４４上に落下せしめられて、天板１４４上を転動せしめられた後、傾斜面１５４によって、本体枠１２０に形成された下側の切欠１４０から遊技盤１６の裏側に排出されるようになっている。
【００８９】
そこにおいて、揺動部材１４２が初期状態である場合には、遊技球が天板１４４上に落下して、天板１４４上を転動せしめられることにより、揺動部材１４２が揺動せしめられて、一対の羽根１３６，１３６が傾動せしめられるようになっている。このことから明らかなように、本実施形態では、上段左側に設けられた可変入賞装置１１４ａにおける上側開口１５０から入球した遊技球によっても、上段左側の可変入賞装置１１４ａに配された一対の羽根１３６，１３６が傾動（開作動）せしめられるようになっている。
【００９０】
また、遊技盤１６の裏側には、上段左側に設けられた可変入賞装置１１４ａと下段左側に設けられた可変入賞装置１１４ｃの間において、上段左側に設けられた可変入賞装置１１４ａにおける通路孔１４６から排出された遊技球を下段左側に設けられた可変入賞装置１１４ｃまで誘導する第二の誘導通路１８８が設けられている。これにより、上段左側に設けられた可変入賞装置１１４ａにおける通路孔１４６から排出された遊技球は、下段左側に設けられた可変入賞装置１１４ｃにおける本体枠１２０に形成された上側の切欠１３８から天板１４４上に落下せしめられるようになっている。
【００９１】
そこにおいて、上段左側に設けられた可変入賞装置１１４ａにおける通路孔１４６から遊技球が排出される際、上段左側の可変入賞装置１１４ａに配された一対の羽根１３６，１３６が起立せしめられるようになっている。即ち、上段左側に設けられた可変入賞装置１１４ａにおける左右両側の各開口１３２から入球した遊技球によって、上段左側の可変入賞装置１１４ａに配された一対の羽根１３６，１３６が起立（閉作動）せしめられるようになっているのである。
【００９２】
更にまた、本実施形態では、遊技領域３０において役物３６よりも上方に設けられた上側普通入賞装置２０４や役物３６よりも左側に設けられた左側普通入賞装置２０６に入球した遊技球を下段左側に設けられた可変入賞装置１１４ｃへと誘導する第三の誘導通路１９０が、第二の誘導通路１８８の終端部分に接続されている。これにより、上側普通入賞装置２０４や左側普通入賞装置２０６に入球した遊技球も、下段左側に設けられた可変入賞装置１１４ｃにおける本体枠１２０に形成された上側の切欠１３８から天板１４４上に落下せしめられるようになっている。
【００９３】
なお、図面上では明示されていないが、本実施形態では、第三の誘導通路１９０は、第一の誘導通路１８６を跨ぐように設けられている。これにより、第三の誘導通路１９０と第一の誘導通路１８６が立体交差せしめられることとなって、役物３６に入球して排出口８６から排出された遊技球の上段左側の可変入賞装置１１４ａへの誘導が有利に実現されるようになっている。
【００９４】
また、下段左側に設けられた可変入賞装置１１４ｃにおける上側開口１５０から入球した遊技球は、天板１４４上に落下せしめられて、天板１４４上を転動せしめられた後、傾斜面１５４によって、本体枠１２０に形成された下側の切欠１４０から遊技盤１６の裏側に排出されるようになっている。
【００９５】
そこにおいて、揺動部材１４２が初期状態である場合には、遊技球が天板１４４上に落下することにより、揺動部材１４２が揺動せしめられて、一対の羽根１３６，１３６が傾動せしめられるようになっている。このことから明らかなように、本実施形態では、上段左側に設けられた可変入賞装置１１４ａにおける左右両側の各開口１３２から入球して通路孔１４６から排出された遊技球や下段左側に設けられた可変入賞装置１１４ｃにおける上側開口１５０から入球した遊技球だけでなく、上側普通入賞装置２０４に入球した遊技球や左側普通入賞装置２０６に入球した遊技球によっても、下段左側の可変入賞装置１１４ｃに配された一対の羽根１３６，１３６が傾動（開作動）せしめられるようになっている。
【００９６】
なお、本実施形態では、可変入賞装置１１４ｃにおいて天板１４４に形成された傾斜面１５４は、可変入賞装置１１４ｃを裏側からみた場合に右側から左側へ下るように形成されている。それ故、本実施形態では、天板１４４上に落下せしめられた遊技球は、役物３６が設けられている側において下側の切欠１４０から排出されるようになっている。
【００９７】
また、下段左側に設けられた可変入賞装置１１４ｃにおける左右両側の各開口１３２から入球した遊技球が通路孔１４６から排出される際、下段左側の可変入賞装置１１４ｃに配された一対の羽根１３６，１３６が起立せしめられるようになっている。即ち、下段左側に設けられた可変入賞装置１１４ｃにおける左右両側の各開口１３２から入球した遊技球によって、下段左側の可変入賞装置１１４ｃに配された一対の羽根１３６，１３６が起立せしめられるようになっているのである。
【００９８】
さらに、遊技盤１６の裏側には、役物３６と上段真中に設けられた可変入賞装置１１６ａの間において、排出口８８から排出された遊技球を上段真中に設けられた可変入賞装置１１６ａまで誘導する第四の誘導通路１９２が設けられている。そして、かかる第四の誘導通路１９２によって誘導されてきた遊技球により、一対の羽根１６８ａ，１６８ａが傾動状態とされるようになっている。
【００９９】
更にまた、遊技盤１６の裏側には、上段真中に設けられた可変入賞装置１１６ａと下段真中に設けられた可変入賞装置１１６ｂの間において、上段真中に設けられた可変入賞装置１１６ａに入球した遊技球を下段真中に設けられた可変入賞装置１１６ｂまで誘導する第五の誘導通路１９４と、排出口８８から排出されてきて、一対の羽根１６８ａ，１６８ａを傾動状態にした遊技球を下段真中に設けられた可変入賞装置１１６ｂまで誘導する第六の誘導通路１９６が設けられており、これら第五の誘導通路１９４と第六の誘導通路１９６は、それらの終端部分において接続されている。その結果、役物３６に入球して排出口８８から排出された遊技球や、上段真中に設けられた可変入賞装置１１６ａに入賞した遊技球によって、下段真中に設けられた可変入賞装置１１６ｂの一対の羽根１６８ｂ，１６８ｂが傾動状態とされるようになっている。
【０１００】
なお、このことから明らかなように、本実施形態では、排出口８８から排出された遊技球によって、上段真中に設けられた可変入賞装置１１６ａの一対の羽根１６８ａ，１６８ａと、下段真中に設けられた可変入賞装置１１６ｂの一対の羽根１６８ｂ，１６８ｂとが、それぞれ、傾動状態とされるようになっている。
【０１０１】
また、遊技盤１６の裏側には、役物３６と上段右側に設けられた可変入賞装置１１４ｂの間において、排出口９０から排出された遊技球を上段右側に設けられた可変入賞装置１１４ｂまで誘導する第七の誘導通路１９８が設けられている。これにより、役物３６に入球して排出口９０から排出された遊技球は、上段右側に設けられた可変入賞装置１１４ｂにおける本体枠１２０に形成された上側の切欠１３８から天板１４４上に落下せしめられるようになっている。
【０１０２】
そこにおいて、揺動部材１４２が初期状態である場合には、遊技球が天板１４４上に落下することにより、揺動部材１４２が揺動せしめられて、一対の羽根１３６，１３６が傾動せしめられるようになっている。このことから明らかなように、本実施形態では、役物３６に入球して排出口９０から排出された遊技球によって、上段右側の可変入賞装置１１４ｂに配された一対の羽根１３６，１３６が傾動（開作動）せしめられるようになっている。
【０１０３】
なお、本実施形態では、可変入賞装置１１４ｂにおいて天板１４４に形成された傾斜面１５４は、可変入賞装置１１４ｂを裏側からみた場合に右側から左側へ下るように形成されている。それ故、本実施形態では、天板１４４上に落下せしめられた遊技球は、役物３６が設けられている側、即ち、下段右側の可変入賞装置１１４ｄが設けられている側とは反対の側において下側の切欠１４０から排出されるようになっている。これにより、天板１４４上に落下せしめられた遊技球は、後述する第八の誘導通路２００によって下段右側に設けられた可変入賞装置１１４ｄに誘導されないようになっている。このことから明らかなように、本実施形態では、下段右側の可変入賞装置１１４ｄに配されている天板１４４に形成された傾斜面１５４を含んで回避通路が構成されている。
【０１０４】
また、上段右側に設けられた可変入賞装置１１４ｄにおける上側開口から入球した遊技球は、天板１４４上に落下せしめられて、天板１４４上を転動せしめられた後、傾斜面１５４によって、本体枠１２０に形成された下側の切欠１４０から遊技盤１６の裏側に排出されるようになっている。
【０１０５】
そこにおいて、揺動部材１４２が初期状態である場合には、遊技球が天板１４４上に落下して、天板１４４上を転動せしめられることにより、揺動部材１４２が揺動せしめられて、一対の羽根１３６，１３６が傾動せしめられるようになっている。このことから明らかなように、本実施形態では、上段右側に設けられた可変入賞装置１１４ｂにおける上側開口１５０から入球した遊技球によっても、上段右側の可変入賞装置１１４ｂに配された一対の羽根１３６，１３６が傾動（開作動）せしめられるようになっている。
【０１０６】
また、遊技盤１６の裏側には、上段右側に設けられた可変入賞装置１１４ｂと下段右側に設けられた可変入賞装置１１４ｄの間において、上段右側に設けられた可変入賞装置１１４ｂにおける通路孔１４６から排出された遊技球を下段右側に設けられた可変入賞装置１１４ｄまで誘導する第八の誘導通路２００が設けられている。これにより、上段右側に設けられた可変入賞装置１１４ｂにおける通路孔１４６から排出された遊技球は、下段右側に設けられた可変入賞装置１１４ｄにおける本体枠１２０に形成された上側の切欠１３８から天板１４４上に落下せしめられるようになっている。
【０１０７】
そこにおいて、上段右側に設けられた可変入賞装置１１４ｂにおける通路孔１４６から遊技球が排出される際、上段右側の可変入賞装置１１４ｂに配された一対の羽根１３６，１３６が起立せしめられるようになっている。即ち、上段右側に設けられた可変入賞装置１１４ｂにおける左右両側の各開口１３２から入球した遊技球によって、上段右側の可変入賞装置１１４ｂに配された一対の羽根１３６，１３６が起立（閉作動）せしめられるようになっているのである。
【０１０８】
更にまた、本実施形態では、遊技領域３０において役物３６よりも右側に設けられた右側普通入賞装置２０８に入球した遊技球を下段右側に設けられた可変入賞装置１１４ｄへと誘導する第九の誘導通路２０２が、第八の誘導通路２００の終端部分に接続されている。これにより、右側普通入賞装置２０８に入球した遊技球も、下段右側に設けられた可変入賞装置１１４ｄにおける本体枠１２０に形成された上側の切欠１３８から天板１４４上に落下せしめられるようになっている。
【０１０９】
なお、図面上では明示されていないが、本実施形態では、第九の誘導通路２０２は、第七の誘導通路１９８を跨ぐように設けられている。これにより、第九の誘導通路２０２と第七の誘導通路１９８が立体交差せしめられることとなって、役物３６に入球して排出口９０から排出された遊技球の上段右側の可変入賞装置１１４ｂへの誘導が有利に実現されるようになっている。
【０１１０】
また、下段右側に設けられた可変入賞装置１１４ｄにおける上側開口１５０から入球した遊技球は、天板１４４上に落下せしめられて、天板１４４上を転動せしめられた後、傾斜面１５４によって、本体枠１２０に形成された下側の切欠１４０から遊技盤１６の裏側に排出されるようになっている。
【０１１１】
そこにおいて、揺動部材１４２が初期状態である場合には、遊技球が天板１４４上に落下することにより、揺動部材１４２が揺動せしめられて、一対の羽根１３６，１３６が傾動せしめられるようになっている。このことから明らかなように、本実施形態では、上段右側に設けられた可変入賞装置１１４ｂにおける左右両側の各開口１３２から入球して通路孔１４６から排出された遊技球や下段右側に設けられた可変入賞装置１１４ｄにおける上側開口１５０から入球した遊技球だけでなく、右側普通入賞装置２０８に入球した遊技球によっても、下段右側の可変入賞装置１１４ｄに配された一対の羽根１３６，１３６が傾動（開作動）せしめられるようになっている。
【０１１２】
なお、本実施形態では、可変入賞装置１１４ｄにおいて天板１４４に形成された傾斜面１５４は、可変入賞装置１１４ｄを裏側からみた場合に左側から右側へ下るように形成されている。それ故、本実施形態では、天板１４４上に落下せしめられた遊技球は、役物３６が設けられている側において下側の切欠１２０から排出されるようになっている。
【０１１３】
また、下段右側に設けられた可変入賞装置１１４ｄにおける左右両側の各開口１３２から入球した遊技球が通路孔１４６から排出される際、下段右側の可変入賞装置１１４ｄに配された一対の羽根１３６，１３６が起立せしめられるようになっている。即ち、下段右側に設けられた可変入賞装置１１４ｄにおける左右両側の各開口１３２から入球した遊技球によって、下段右側の可変入賞装置１１４ｄに配された一対の羽根１３６，１３６が起立せしめられるようになっている。
【０１１４】
上述の説明から明らかなように、本実施形態では、上段左側の可変入賞装置１１４ａによって第一の可変入賞装置が構成されている。また、本実施形態では、上段左側の可変入賞装置１１４ａにおける上側の開口穴１２４と下側の開口穴１２６によって二つの入球口が構成されている。そして、本実施形態では、下側の開口穴１２６によって一方の入球口が構成されており、上側の開口穴１２４によって他方の入球口が構成されている。また、本実施形態では、一対の羽根１３６，１３６によって、一対の可動翼片が構成されている。更にまた、本実施形態では、可変入賞装置１１４ａに配された揺動部材１４２によって、一対の可動翼片に連結されて、排出口から遊技盤の裏側に排出された遊技球と、第一の可変入賞装置における二つの入球口のうち他方の入球口から入球して遊技盤の裏側に排出される遊技球との何れかが接触することにより一対の可動翼片を開作動せしめる一方、第一の可変入賞装置における二つの入球口のうち一方の入球口から入球して遊技盤の裏側に排出された遊技球が接触することにより一対の可動翼片を閉作動せしめる可動翼片操作体が構成されている。そして、本実施形態では、可変入賞装置１１４ａに配された揺動部材１４２を含んで可動翼片作動制御手段が構成されている。
【０１１５】
また、本実施形態では、下段左側の可変入賞装置１１４ｃによって第二の可変入賞装置が構成されている。更にまた、本実施形態では、下段左側の可変入賞装置１１４ｃにおける上側の開口穴１２４と下側の開口穴１２６によって二つの球入口が構成されている。そして、本実施形態では、下側の開口穴１２６によって一方の球入口が構成されており、上側の開口穴１２４によって他方の球入口が構成されている。また、本実施形態では、一対の羽根１３６，１３６によって一対の羽根部材が構成されている。更にまた、本実施形態では、可変入賞装置１１４ｃに配された揺動部材１４２によって、一対の羽根部材に連結されて、第一の可変入賞装置における一方の入球口から入球して遊技盤の裏側に排出される遊技球と、第二の可変入賞装置における二つの球入口のうち他方の球入口から入球して遊技盤の裏側に排出される遊技球との何れかが接触することにより一対の羽根部材を開作動せしめる一方、第二の可変入賞装置における二つの球入口のうち一方の球入口から入球して遊技盤の裏側に排出される遊技球が接触することにより一対の羽根部材を閉作動せしめる羽根部材操作体が構成されている。そして、本実施形態では、可変入賞装置１１４ｃに配された揺動部材１４２を含んで羽根部材作動制御手段が構成されている。
【０１１６】
更にまた、本実施形態では、上段右側の可変入賞装置１１４ｂによって第一の可変入賞装置が構成されている。また、本実施形態では、上段右側の可変入賞装置１１４ｂにおける上側の開口穴１２４と下側の開口穴１２６によって二つの入球口が構成されている。そして、本実施形態では、下側の開口穴１２６によって一方の入球口が構成されており、上側の開口穴１２４によって他方の入球口が構成されている。また、本実施形態では、一対の羽根１３６，１３６によって一対の可動翼片が構成されている。更にまた、本実施形態では、可変入賞装置１１４ｂに配された揺動部材１４２によって、一対の可動翼片に連結されて、排出口から遊技盤の裏側に排出された遊技球と、第一の可変入賞装置における二つの入球口のうち他方の入球口から入球して遊技盤の裏側に排出される遊技球との何れかが接触することにより一対の可動翼片を開作動せしめる一方、第一の可変入賞装置における二つの入球口のうち一方の入球口から入球して遊技盤の裏側に排出された遊技球が接触することにより一対の可動翼片を閉作動せしめる可動翼片操作体が構成されている。そして、本実施形態では、可変入賞装置１１４ｂに配された揺動部材１４２を含んで可動翼片作動制御手段が構成されている。
【０１１７】
また、本実施形態では、下段左側の可変入賞装置１１４ｄによって第二の可変入賞装置が構成されている。更にまた、本実施形態では、下段左側の可変入賞装置１１４ｄにおける上側の開口穴１２４と下側の開口穴１２６によって二つの球入口が構成されている。そして、本実施形態では、下側の開口穴１２６によって一方の球入口が構成されており、上側の開口穴１２４によって他方の球入口が構成されている。また、本実施形態では、一対の羽根１３６，１３６によって一対の羽根部材が構成されている。更にまた、本実施形態では、可変入賞装置１１４ｄに配された揺動部材１４２によって、一対の羽根部材に連結されて、第一の可変入賞装置における一方の入球口から入球して遊技盤の裏側に排出される遊技球と、第二の可変入賞装置における二つの球入口のうち他方の球入口から入球して遊技盤の裏側に排出される遊技球との何れかが接触することにより一対の羽根部材を開作動せしめる一方、第二の可変入賞装置における二つの球入口のうち一方の球入口から入球して遊技盤の裏側に排出される遊技球が接触することにより一対の羽根部材を閉作動せしめる羽根部材操作体が構成されている。そして、本実施形態では、可変入賞装置１１４ｄに配された揺動部材１４２を含んで羽根部材作動制御手段が構成されている。
【０１１８】
更にまた、本実施形態では、第一の誘導通路１８６によって、排出口から遊技盤の裏側に排出される遊技球を第一の可変入賞装置へと誘導する第一の連絡流路が構成されている。また、本実施形態では、上段左側に設けられた可変入賞装置１１４ａにおける本体枠１２０とかかる本体枠１２０に配された揺動部材１４２における天板１４４を含んで、第一の連絡流路に接続されて、第一の連絡流路によって誘導されてきた遊技球と、第一の可変入賞装置における二つの入球口のうち他方の入球口から入球した遊技球との何れもが接触可能となるように可動翼片操作体が配されており、第一の連絡流路によって誘導されてきた遊技球と、第一の可変入賞装置における他方の入球口から入球した遊技球の何れかが可動翼片操作体に接触することによって、一対の可動翼片が開作動せしめられる可動翼片開作動用流路が構成されている。
【０１１９】
さらに、本実施形態では、上段左側に設けられた可変入賞装置１１４ａに配されている揺動部材１４２における通路孔１４６を含んで、可動翼片開作動用流路とは別に設けられて、第一の可変入賞装置における二つの入球口のうち一方の入球口から入球した遊技球が接触可能となるように、可動翼片操作体が配されており、第一の可変入賞装置における一方の入球口から入球した遊技球が可動翼片操作体に接触することによって、一対の可動翼片が閉作動せしめられる可動翼片閉作動用流路が構成されている。また、本実施形態では、第二の誘導通路１８８によって、可動翼片閉作動用流路に接続されて、第一の可変入賞装置から第二の可変入賞装置へと遊技球を誘導する第二の連絡流路が構成されている。
【０１２０】
更にまた、本実施形態では、下段左側に設けられた可変入賞装置１１４ｃにおける本体枠１２０とかかる本体枠１２０に配された揺動部材１４２における天板１４４を含んで、第二の連絡流路に接続されて、第二の連絡流路によって誘導されてきた遊技球と、第二の可変入賞装置における二つの球入口のうち他方の球入口から入球した遊技球の何れもが接触可能となるように、羽根部材操作体が配されており、第二の連絡流路によって誘導されてきた遊技球と、第二の可変入賞装置における他方の球入口から入球した遊技球の何れかが羽根部材操作体に接触することによって、一対の羽根部材が開作動せしめられる羽根部材開作動用流路が構成されている。
【０１２１】
さらに、本実施形態では、下段左側に設けられた可変入賞装置１１４ｃに配されている揺動部材１４２における通路孔１４６を含んで、羽根部材開作動用流路とは別に設けられて、第二の可変入賞装置における二つの球入口のうち一方の球入口から入球した遊技球が接触可能となるように、羽根部材操作体が配されており、第二の可変入賞装置における一方の球入口から入球した遊技球が羽根部材操作体に接触することによって、一対の羽根部材が閉作動せしめられる羽根部材閉作動用流路が構成されている。
【０１２２】
また、本実施形態では、第七の誘導通路１９８によって、排出口から遊技盤の裏側に排出される遊技球を第一の可変入賞装置へと誘導する第一の連絡流路が構成されている。更に、本実施形態では、上段右側に設けられた可変入賞装置１１４ｂにおける本体枠１２０とかかる本体枠１２０に配された揺動部材１４２における天板１４４を含んで、第一の連絡流路に接続されて、第一の連絡流路によって誘導されてきた遊技球と、第一の可変入賞装置における二つの入球口のうち他方の入球口から入球した遊技球の何れもが接触可能となるように、可動翼片操作体が配されており、第一の連絡流路によって誘導されてきた遊技球と、第一の可変入賞装置における他方の入球口から入球した遊技球の何れかが可動翼片操作体に接触することによって、一対の可動翼片が開作動せしめられる可動翼片開作動用流路が構成されている。
【０１２３】
更にまた、本実施形態では、上段右側に設けられた可変入賞装置１１４ｂに配されている揺動部材１４２における通路孔１４６を含んで、可動翼片開作動用流路とは別に設けられて、第一の可変入賞装置における二つの入球口のうち一方の入球口から入球した遊技球が接触可能となるように、可動翼片操作体が配されており、第一の可変入賞装置における一方の入球口から入球した遊技球が可動翼片操作体に接触することによって、一対の可動翼片が閉作動せしめられる可動翼片閉作動用流路が構成されている。
【０１２４】
また、本実施形態では、第八の誘導通路２００によって、可動翼片閉作動用流路に接続されて、第一の可変入賞装置から第二の可変入賞装置へと遊技球を誘導する第二の連絡流路が構成されている。更にまた、本実施形態では、下段右側に設けられた可変入賞装置１１４ｄにおける本体枠１２０とかかる本体枠１２０に配された揺動部材１４２における天板１４４を含んで、第二の連絡流路に接続されて、第二の連絡流路によって誘導されてきた遊技球と、第二の可変入賞装置における二つの球入口のうち他方の球入口から入球した遊技球の何れもが接触可能となるように、羽根部材操作体が配されており、第二の連絡流路によって誘導されてきた遊技球と、第二の可変入賞装置における他方の球入口から入球した遊技球の何れかが羽根部材操作体に接触することによって、一対の羽根部材が開作動せしめられる羽根部材開作動用流路が構成されている。
【０１２５】
さらに、本実施形態では、下段右側に設けられた可変入賞装置１１４ｄに配されている揺動部材１４２における通路孔１４６を含んで、羽根部材開作動用流路とは別に設けられて、第二の可変入賞装置における二つの球入口のうち一方の球入口から入球した遊技球が接触可能となるように、羽根部材操作体が配されており、第二の可変入賞装置における一方の球入口から入球した遊技球が羽根部材操作体に接触することによって、一対の羽根部材が閉作動せしめられる羽根部材閉作動用流路が構成されている。
【０１２６】
このような構造とされたパチンコ機１０においては、遊技者が操作レバー２８を回動操作することによって発射された遊技球が役物３６に入球して排出口８６から排出された場合、上段左側に設けられた可変入賞装置１１４ａに配されている一対の羽根１３６，１３６が傾動せしめられて、上段左側に設けられた可変入賞装置１１４ａにおける左右両側の各開口１３２への遊技球の入球が可能となる。
【０１２７】
そして、このように遊技球の入球が可能となった上段左側に設けられた可変入賞装置１１４ａにおける左右両側の各開口１３２に遊技球が入球した場合、上段左側の可変入賞装置１１４ａに配された一対の羽根１３６，１３６が閉作動せしめられて、上段左側に設けられた可変入賞装置１１４ａにおける左右両側の各開口１３２への遊技球の入球が不能とされる一方、下段左側に設けられた可変入賞装置１１４ｃに配されている一対の羽根１３６，１３６が傾動せしめられて、下段左側に設けられた可変入賞装置１１４ｃにおける左右両側の各開口１３２への遊技球の入球が可能となる。
【０１２８】
また、遊技者が操作レバー２８を回動操作することによって発射された遊技球が役物３６に入球して排出口９０から排出された場合、上段右側に設けられた可変入賞装置１１４ｂに配されている一対の羽根１３６，１３６が傾動せしめられて、上段右側に設けられた可変入賞装置１１４ｂにおける左右両側の各開口１３２への遊技球の入球が可能となる。
【０１２９】
そして、このように遊技球の入球が可能となった上段右側に設けられた可変入賞装置１１４ｂにおける左右両側の各開口１３２に遊技球が入球した場合、上段右側の可変入賞装置１１４ｂに配された一対の羽根１３６，１３６が閉作動せしめられて、上段右側に設けられた可変入賞装置１１４ｂにおける左右両側の各開口１３２への遊技球の入球が不能とされる一方、下段右側に設けられた可変入賞装置１１４ｄに配されている一対の羽根１３６，１３６が傾動せしめられて、下段右側に設けられた可変入賞装置１１４ｄにおける左右両側の各開口１３２への遊技球の入球が可能となる。
【０１３０】
従って、本実施形態のパチンコ機１０においては、上段左側に設けられた可変入賞装置１１４ａに配されている一対の羽根１３６，１３６を閉作動せしめる代わりに、下段左側に設けられた可変入賞装置１１４ｃに配されている一対の羽根１３６，１３６を開作動せしめることが可能となり、また、上段右側に設けられた可変入賞装置１１４ｂに配されている一対の羽根１３６，１３６を閉作動せしめる代わりに、下段右側に設けられた可変入賞装置１１４ｄに配されている一対の羽根１３６，１３６を開作動せしめることも可能となる。
【０１３１】
これにより、遊技球の入球が容易とされた可変入賞装置１１４の位置が遊技球の入球に基づいて変更されることとなり、その結果、遊技者による遊技球の発射強度の変更、即ち、操作レバー２６の回動操作量の変更を積極的に行わせることが可能となる。
【０１３２】
それ故、本実施形態のパチンコ機１０においては、遊技球を利用したパチンコ遊技本来の楽しみを与えることが可能となる。
【０１３３】
特に、本実施形態では、上段および下段左側の可変入賞装置１１４ａ，１１４ｃが遊技領域３０において役物３６よりも左側に設けられている一方、上段および下段右側の可変入賞装置１１４ｂ，１１４ｄが遊技領域３０において役物３６よりも右側に設けられていることから、遊技者による操作レバー２６の回動操作量の変更を大きく行わせることが可能となる。これにより、積極的に遊技に参加している印象を遊技者に与えることが可能となって、遊技者に遊技球を利用したパチンコ遊技本来の楽しみを一層与えることが可能となる。
【０１３４】
また、本実施形態では、上段左側に設けられた可変入賞装置１１４ａにおける上側開口１５０から入球した遊技球によって一対の羽根１３６，１３６が開作動せしめられるようになっていると共に、上段右側に設けられた可変入賞装置１１４ｂにおける上側開口１５０から入球した遊技球によって一対の羽根１３６，１３６が開作動せしめられるようになっていることから、遊技領域３０を流下せしめられる遊技球によっても、上段左側に設けられた可変入賞装置１１４ａに配された一対の羽根１３６，１３６や、上段右側に設けられた可変入賞装置１１４ｂに配された一対の羽根１３６，１３６が開作動せしめられることとなる。
【０１３５】
それ故、本実施形態のパチンコ機１０においては、一対の羽根１３６，１３６が開作動せしめられて、遊技者が狙いやすくなった可変入賞装置１１４の位置が変更される頻度を高めることが可能となり、それによって、遊技者に遊技球を利用したパチンコ遊技本来の楽しみをより一層与えることが可能となる。
【０１３６】
更にまた、本実施形態では、下段左側に設けられた可変入賞装置１１４ｃにおける上側開口１５０から入球した遊技球によって一対の羽根１３６，１３６が開作動せしめられるようになっていると共に、下段右側に設けられた可変入賞装置１１４ｄにおける上側開口１５０から入球した遊技球によって一対の羽根１３６，１３６が開作動せしめられるようになっていることから、上段左側に設けられた可変入賞装置１１４ａに配されている一対の羽根１３６，１３６の閉作動に関連することなく、下段左側に設けられた可変入賞装置１１４ｃに配されている一対の羽根１３６，１３６を開作動せしめることが可能となり、また、上段右側に設けられた可変入賞装置１１４ｂに配されている一対の羽根１３６，１３６の閉作動に関連することなく、下段右側に設けられた可変入賞装置１１４ｄに配されている一対の羽根１３６，１３６を開作動せしめることが可能となる。
【０１３７】
それ故、本実施形態のパチンコ機１０においては、可変入賞装置１１４への遊技球の入球頻度を高めて、遊技者を楽しませることが可能となる。
【０１３８】
また、本実施形態では、役物３６に入球して排出口８８から排出された遊技球によって、上段真中に設けられた可変入賞装置１１６ａに配されている一対の羽根１６８ａ，１６８ａが開作動せしめられると共に、下段真中に設けられた可変入賞装置１１６ｂに配されている一対の羽根１６８ｂ，１６８ｂが開作動せしめられるようになっていることから、可変入賞装置１１６への遊技球の入球の可能性を高めて、遊技者を楽しませることが可能となる。
【０１３９】
さらに、本実施形態では、遊技盤１６の裏側において、第一の誘導通路１８６が設けられていると共に、第三の誘導通路１９０が設けられていることから、上段左側に設けられた可変入賞装置１１４ａに配されている一対の羽根１３６，１３６の閉作動と、下段左側に設けられた可変入賞装置１１４ｃに配されている一対の羽根１３６，１３６の開作動との連動を有利に実現することが可能とある。
【０１４０】
更にまた、本実施形態では、遊技盤１６の裏側において、第七の誘導通路１９８が設けられていると共に、第八の誘導通路２００が設けられていることから、上段右側に設けられた可変入賞装置１１４ｂに配されている一対の羽根１３６，１３６の閉作動と、下段右側に設けられた可変入賞装置１１４ｄに配されている一対の羽根１３６，１３６の開作動との連動を有利に実現することが可能とある。
【０１４１】
また、本実施形態では、上側普通入賞装置２０４や左側普通入賞装置２０６に入球した遊技球によっても、下段左側に設けられた可変入賞装置１１４ｃに配されている一対の羽根１３６，１３６が開作動せしめられるようになっていると共に、右側普通入賞装置２０８に入球した遊技球によっても、下段右側に設けられた可変入賞装置１１４ｄに配されている一対の羽根１３６，１３６が開作動せしめられるようになっていることから、下段左右両側に設けられた可変入賞装置１１４ｃ，１１４ｄへの遊技球の入球の可能性を高めて、遊技者を楽しませることが可能となる。
【０１４２】
以上、本発明の一実施形態について詳述してきたが、これはあくまでも例示であって、本発明は、かかる実施形態における具体的な記載によって、何等、限定的に解釈されるものではない。
【０１４３】
例えば、前記実施形態では、各可変入賞装置１１４に配された一対の羽根１３６，１３６の作動が関連性を有するように設定されている二つの可変入賞装置１１４が役物３６を挟んで左右両側に設けられていたが、このような二つの可変入賞装置１１４は、役物３６の左右何れか一方の側にのみ設けられるようにしても良いし、或いは、役物３６の真下に設けられるようにしても良い。
【０１４４】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【０１４５】
【図１】本発明の一実施形態としてのパチンコ機を示す正面図である。
【図２】図１に示されたパチンコ機に採用されている遊技盤を示す正面図である。
【図３】図２に示された遊技盤に取り付けられている役物の正面図である。
【図４】図３におけるＩＶ−ＩＶ断面図である。
【図５】図３に示された役物の斜視図であって、仕切板が取り外された状態を示す図面である。
【図６】図３に示された役物の内部構造を説明するための平面図である。
【図７】図３に示された役物の内部構造を説明するための図面であって、図６において回転体が取り外された状態を示す平面図である。
【図８】図２に示された遊技盤に取り付けられている可変入賞装置を示す図面であって、一対の羽根が起立せしめられた状態を示す正面図である。
【図９】図８におけるＩＸ−ＩＸ断面図である。
【図１０】図２に示された遊技盤に取り付けられている可変入賞装置を示す図面であって、一対の羽根が傾動せしめられた状態を示す正面図である。
【図１１】図１０におけるＸＩ−ＸＩ断面図である。
【図１２】図２に示された遊技盤の裏面図である。
【符号の説明】
【０１４６】
１０  パチンコ機
１４  パチンコ機本体
１６  遊技盤
３０  遊技領域
３６  役物
６２  回転体
８６  排出口
８８  排出口
９０  排出口
１１４ａ  可変入賞装置
１１４ｂ  可変入賞装置
１１４ｃ  可変入賞装置
１１４ｄ  可変入賞装置
１２４  上側の開口穴
１２６  下側の開口穴
１３６  羽根
１４２  揺動部材
【図１】
2006239257.tif 000003
【図２】
2006239257.tif 000004
【図３】
2006239257.tif 000005
【図４】
2006239257.tif 000006
【図５】
2006239257.tif 000007
【図６】
2006239257.tif 000008
【図７】
2006239257.tif 000009
【図８】
2006239257.tif 000010
【図９】
2006239257.tif 000011
【図１０】
2006239257.tif 000012
【図１１】
2006239257.tif 000013
【図１２】
2006239257.tif 000014